(57)【特許請求の範囲】
【請求項１】
先端部が飲料パックに設けたストロー用の開口に差し込まれるパイプ状のアダプタ本体部材と、
前記アダプタ本体部材の先端部を前記飲料パックの開口に差し込んだ状態で液密に固定する固定部材とを備え、
前記固定部材は、前記飲料パックの開口と略同一径の貫通孔を有するとともに、前記開口の周囲に接着するための粘着材層を前記貫通孔の周囲に設けた弾性を有する板状部材であり、
前記アダプタ本体部材は、前記先端部の根元側に、前記貫通孔に嵌合して密着するとともに前記貫通孔からの抜けを防止する環状リッジ若しくは雄ネジを外周に有するシール部を備え、
前記シール部に隣接して前記先端部の反対側に、当該シール部が前記開口に進入するのを阻止するフランジ部をさらに備え、
前記アダプタ本体部材は、前記先端部の反対側にチューブに着脱自在に接続するためのジョイント部を備え、
前記板状部材は、ゴムで形成され、
前記シール部に設けた前記環状リッジ若しくは雄ネジは、前記貫通孔の内壁に食い込むことを特徴とする飲料パック用アダプタ。
【請求項２】
請求項１記載の飲料パック用アダプタと、
前記アダプタ本体部材に一端が接続されるチューブ状の連結部材と、
当該連結部材の他端に接続されるカテーテルと
を備える飲料供給器具。
【発明の詳細な説明】
【０００１】
【技術分野】
本発明は、ブリックパック等の市販飲料パック中の飲料を直接カテーテル等に供給するための飲料パック用アダプタ及びこれを用いた飲料供給器具に関する。
【０００２】
【背景技術】
病院の患者や、虚弱者、過度に疲労した者に適切な栄養補給等を行なう目的で直方体形状のブリックパックにつめた栄養飲料が販売されている。患者や虚弱者は、ブリックパックの開口にストローを刺し込んで栄養飲料を吸引することで、栄養飲料を経腸摂取することができる。
【０００３】
上記のようなブリックパックは、ある程度体力があって起き上がることのできる患者等を前提として製造されているため、例えば経口摂取困難な患者や乳児は、このブリックパックに充填したままでは栄養飲料を摂取することができない。このため、医師や看護婦は、ブリックパックの栄養飲料を一旦経鼻投与器具に移し替えた後に、この経鼻投与器具から患者や乳児に栄養飲料を投与している。すなわち、ブリックパック中の栄養飲料を経鼻投与器具のバッグに移し替え、このバッグを適当な高さに吊るし、バッグ下部から延びるチューブの先端に設けたカテーテルを臥した状態の患者や乳児の鼻孔から胃や腸まで挿入して栄養飲料を適宜投与する。
【０００４】
しかし、ブリックパック中の栄養飲料を一旦バッグに移すことは、医療や介護の作業性を低下させる。また、ブリックパックからバッグに移す際に、栄養飲料が有害な細菌や薬品にさらされる可能性があり、衛生管理上も好ましくない。
【０００５】
【発明の開示】
本発明は、上記課題に鑑みてなされたものであり、医療や介護の作業性を高め、衛生管理上の観点からも適切な栄養飲料の摂取を可能にする飲料パック用アダプタ及びこれを用いた飲料供給器具を提供することを目的とする。
【０００６】
上記課題を解決するため、本発明の飲料パック用アダプタは、先端部が飲料パックに設けたストロー用の開口に差し込まれるパイプ状のアダプタ本体部材と、アダプタ本体部材の先端部を飲料パックの開口に差し込んだ状態で液密に固定する固定部材とを備える。なお、アダプタ本体部材の端部は、飲料パックの開口を封止しているフィルムに穿孔するための先鋭端部とすることができる。
【０００７】
上記飲料パック用アダプタでは、パイプ状のアダプタ本体部材の先端部が飲料パックの開口に差し込まれるので、アダプタ本体部材を介して飲料パック中の栄養飲料等を外部に吐出させることができる。さらに、固定部材がアダプタ本体部材の先端部を飲料パックの開口に差し込んだ状態で液密に固定するので、飲料パックを上下逆さまにした場合であっても、飲料パックの開口すなわちアダプタ本体部材の周囲から飲料パック中の栄養飲料等が漏れ出すことを防止することができる。よって、アダプタ本体部材にチューブを介してカテーテルを接続すれば、飲料パック中の栄養飲料等を下方に位置するカテーテルの先端から吐出させることができる。ここで、カテーテルを患者等の例えば鼻孔から挿入しておけば、臥した状態の患者等に栄養飲料等を適宜経腸投与することができる。つまり、飲料パックからバッグに移すことなく患者等に栄養飲料等を適宜投与することができるので、栄養飲料等の投与の作業性を高めることができ、有害な細菌等の混入を防止して栄養飲料等の衛生的摂取が可能になる。
【０００８】
ここで、飲料パックとは、各種飲料、栄養剤等を収納する自立型の容器を意味し、通常は直方体形状を有する。このような飲料パックには、ビタミン、ミネラル等の多様な栄養素を含有する所謂栄養飲料のみならず、漢方を含む各種の医薬を含有する経腸摂取用飲料が用途に応じて収容される。
【０００９】
上記飲料パック用アダプタでは、固定部材が、飲料パックの開口と略同一径の貫通孔を有するとともに、この開口の周囲に接着するための粘着材層を貫通孔の周囲に設けた弾性を有する板状部材であり、アダプタ本体部材が、先端部の根元側に、貫通孔に嵌合して密着するとともに貫通孔からの抜けを防止する環状リッジ若しくは雄ネジを外周に有するシール部を備える。ここで、板状部材は、ゴムで形成され、シール部に設けた環状リッジ若しくは雄ネジは、貫通孔の内壁に食い込む。
【００１０】
上記アダプタでは、固定部材の貫通孔を飲料パックの開口と位置合わせし、固定部材の粘着材層を開口に接着して、固定部材を飲料パックに固定する。そして、アダプタ本体部材の先端部が貫通孔及び開口を介して飲料パック中に差し込むまれる際に、シール部が貫通孔に弾性的に嵌合して密着する。このため、アダプタ本体部材の周囲から栄養飲料等が漏れ出すことを確実に防止することができるだけでなく、アダプタ本体部材の固定を強固にしてアダプタ本体部材が貫通孔から抜け落ちることを確実に防止することができる。
【００１１】
上記アダプタの具体的な態様では、シール部に隣接して先端部の反対側に、このシール部が開口に進入するのを阻止するフランジ部をさらに備える。この場合、フランジ部が固定部材に当たるまでアダプタ本体部材を差し込むだけで、シール部が貫通孔に位置決めされるので、飲料パック用アダプタの取り付けの作業性を高めることができる。
【００１２】
また、上記アダプタの具体的な態様では、アダプタ本体部材に設けた先端部の根本側に残液排出用の排出口若しくは排出溝をさらに備える。この場合、このような排出口若しくは排出溝によって、飲料パック中の栄養飲料等を無駄なく使い切ることができる。
【００１３】
上記アダプタの具体的な態様では、アダプタ本体部材が、先端部の反対側にチューブに着脱自在に接続するためのジョイント部を備える。この場合、このジョイント部に対しカテーテルに連結されたチューブを簡易に接続・分離することができるので、飲料パック及び飲料パック用アダプタを交換しつつ患者等に種々の飲料を投与することができる。
【００１４】
また、本発明の飲料供給器具は、上述の飲料パック用アダプタと、この飲料パック用アダプタを構成するアダプタ本体部材に一端が接続されるチューブ状の連結部材と、この連結部材の他端に接続されるカテーテルとを備える。この場合も、飲料パックからバッグに移すことなく臥した状態の患者等に栄養飲料等を適宜投与することができるので、栄養飲料等の投与の作業性を高めることができ、有害な細菌等の混入を防止して栄養飲料等の衛生的摂取が可能になる。
【００１５】
【発明を実施するための最良の形態】
以下、図面を参照して、本発明の実施形態に係る飲料パック用アダプタ及び飲料供給器具について説明する。
【００１６】
〔第１実施形態〕
図１は、第１実施形態の飲料パック用アダプタの構造を説明する分解斜視図である。飲料パック用アダプタ１０は、外形が直方体で自立型の飲料容器である飲料パック２０に取り付けられる。この飲料パック用アダプタ１０は、先端部が飲料パック２０の開口２１に差し込まれるパイプ状のアダプタ本体１２と、アダプタ本体１２の先端部を飲料パック２０の開口２１に差し込んだ状態でこのアダプタ本体１２を液密に固定する板状部材である固定部材１４とを備える。アダプタ本体１２の上端は、カテーテルに連結されたチューブ３０に接続される。
【００１７】
飲料パック２０は、ブリックパック、テトラパック等と呼ばれて市販されているものである。この場合、飲料パック２０には、患者等に適切な栄養補給を行なうための栄養飲料が充填されている。飲料パック２０自体は、内側にポリエチレン等の樹脂材をコートした厚紙からなり、表面にもポリエチレン等の樹脂材を被覆したりワックスをコートしている。上面に形成された円形の開口２１は、ストローの差し込み口（ストロー穴）となっており、フィルム２１ａによって封止されている。なお、このフィルム２１ａは、吸引用に付属するストロー（図示を省略）の端部に設けた鋭利なエッジ部によって穿孔可能になっている。
【００１８】
飲料パック用アダプタ１０のうちアダプタ本体１２は、飲料パック２０の開口２１に設けたフィルム２１ａに穿孔するための先鋭端部１２ａと、固定部材１４に設けた貫通孔１４ａに嵌合して密着するシール部１２ｂと、シール部１２ｂが開口２１内にある程度以上進入するのを阻止するフランジ部１２ｃと、チューブ３０に着脱自在に接続されるジョイント部１２ｄとを備える。このうち先鋭端部１２ａやジョイント部１２ｃは、アダプタ本体部材を構成する。なお、アダプタ本体１２は、ポリプロピレン、ポリエチレンなどのポリオレフィン、ポリカーボネート、ポリスチレンなどの半硬質材料から射出成形によって形成される。
【００１９】
飲料パック用アダプタ１０のうち固定部材１４は、可撓性を有し弾性変形する板状の部材であり、中央に飲料パック２０の開口２１と同一直径の円形の貫通孔１４ａを有する。固定部材１４の裏面には、貫通孔１４ａと開口２１とを位置合わせした状態でこの固定部材１４を飲料パック２０に固定するため、貫通孔１４ａの極近傍を除いた固定部材１４のほぼ裏面全体に粘着材層１４ｂを形成している。
【００２０】
固定部材１４の材料としては、弾性変形するシリコーンゴムなどが好適であるが、軟質塩化ビニル樹脂、エチレン−酢酸ビニル共重合体（ＥＶＡ）、ポリエステル、ポリアミド、熱可塑性ポリウレタンなどの可撓性熱可塑性樹脂を用いることもできる。
【００２１】
チューブ３０は、例えば市販の輸液セットの一部を構成する連結部材を流用することができ、可撓性を有する一端３０ａは、ジョイント部１２ｄをある程度以上の力で挿入する際の弾性嵌めによってアダプタ本体１２との間で液密な連結を可能にし、その他端（図示を省略）は、患者の鼻孔等に挿入されるカテーテルに液密に連結される。なお、この一端３０ａは、一定以上の力でジョイント部１２ｄから分離することができるので、飲料パック２０及びアダプタ本体１２を一体として交換することができる。つまり、ジョイント部１２ｄを一端３０ａから引抜き、別に用意した飲料パック２０にアダプタ本体１２を取り付けて、その新たなジョイント部１２ｄをチューブ３０の一端３０ａと接続することができる。
【００２２】
図２は、飲料パック用アダプタ１０を飲料パック２０に固定した状態を説明する側方断面図である。
【００２３】
アダプタ本体１２を飲料パック２０に液密に固定するための固定部材１４は、可撓性を有し弾性変形可能であり、粘着材層１４ｂによって開口２１の周囲に密着して固定されている。この際、貫通孔１４ａと開口２１とは、位置合わせされて上下に重ね合わせて配置される。
【００２４】
アダプタ本体１２の先鋭端部１２ａは、パイプを斜めにカットした形状を有し、鋭角のエッジを貫通孔１４ａ越しに開口２１に刺し込むことで、フィルム２１ａが突き破られる。先鋭端部１２ａには、上側に隣接するシール部１２ｂの近傍まで延びる、細長い楕円の引込口ＩＯが形成されている。この引込口ＩＯの形状及び配置により、飲料パック用アダプタ１０をセットした図示の状態の飲料パック２０を上下逆さまにして、内部の栄養飲料をアダプタ本体１２を介してカテーテル（図示を省略）に吐出させる場合に、飲料パック２０中の栄養飲料をほぼ全部カテーテルに吐出させるができ、栄養飲料の残留を防止して無駄を回避することができる。
【００２５】
シール部１２ｂは、その直径が弾性変形可能な貫通孔１４ａの本来の直径よりも僅かに大きくなっており、固定部材１４の貫通孔１４ａに密着してシール部１２ｂの周囲から飲料パック２０中の栄養飲料が漏れ出すことを防止する。シール部１２ｂの上下方向に関する中央部の外周面には、環状のリッジＳＲが形成されている。このリッジＳＲは、断面において頂角が鋭利な三角形となっており、この鋭利な頂部を貫通孔１４ａの内壁に食い込ませることで、上下逆さまにした状態の飲料パック２０からアダプタ本体１２が脱落することを防止できる。なお、図示の例ではリッジＳＲを１つしか設けていないが、このようなリッジＳＲは、固定部材１４の厚み等を考慮して複数設けることができる。
【００２６】
フランジ部１２ｃは、貫通孔１４ａの直径に対して２倍程度の直径を有する。これにより、先鋭端部１２ａを開口２１に刺し込む作業の際に、勢いでシール部１２ｂが開口２１に進入するのを阻止することができる。つまり、フランジ部１２ｃが固定部材１４に当接するまでアダプタ本体１２を差し込むだけで、シール部１２ｂが貫通孔１４ａに深さ方向に関して正確に位置決めされる。
【００２７】
ジョイント部１２ｄは、僅かに先細りとなっており、その外周面に、複数の環状のリッジＪＲが形成されている。これらのリッジＪＲにより、ジョイント部１２ｄの縦断面が鋸歯状となり、ジョイント部１２ｄを図１のチューブ３０に接続する際に、弾性変形したチューブ３０の一端３０ａの内面に密着してこの部分における液漏れを防止するとともに、上下逆さまにした状態の飲料パック２０に固定したアダプタ本体１２からチューブ３０が脱落することを防止できる。
【００２８】
なお、先鋭端部１２ａに設けた引込口ＩＯは、シール部１２ｂ、フランジ部１２ｃ及びジョイント部１２ｄを貫通する流路１２ｇに連通しており、この流路１２ｇを介して飲料パック２０中の栄養飲料を外部に引き出せるようになっている。
【００２９】
以下、飲料パック用アダプタ１０の取付け作業について説明する。まず、滅菌した固定部材１４を用意し、裏面の保護シールを除去して粘着材層１４ｂを露出させる。次に、貫通孔１４ａと開口２１とを位置合わせした状態で、固定部材１４を飲料パック２０に固定する。次に、滅菌したアダプタ本体１２を準備し、その先鋭端部１２ａを貫通孔１４ａを介して開口２１に刺し込む。これにより、先鋭端部１２ａがフィルム２１ａを破って開口２１に挿入されるが、フランジ部１２ｃがストッパーとなって先鋭端部１２ａのみが飲料パック２０に差し込まれる。この際、シール部１２ｂによって周囲の液密が保たれ、これに設けたリッジＳＲによって液密が確実になるとともにアダプタ本体１２の脱落を確実に防止することができる。
【００３０】
図３は、図１及び図２に示す飲料パック用アダプタ１０を利用した飲料供給器具１００を説明する図である。飲料パック２０に固定された飲料パック用アダプタ１０から延びるチューブ３０の途中には、通常の輸液セットと同様に点滴筒３１を設けている。また、点滴筒３１の下方には、栄養飲料の供給速度を調整するためのクレンメ５０が取り付けられている。チューブ３０の先端には、ジョイント３３が形成されており、このジョイント３３を介して細管であるカテーテル６０が接続される。カテーテル６０は、患者ＰＴの鼻孔から挿入され、胃や腸まで延びる。
【００３１】
飲料パック２０は、専用のスタンド７０に固定されている。このスタンド７０は、支柱７１の上部に取り付けた背板７２と、背板７２の中部から延びる一対のアーム７３、７４と、背板７２の下部から延びる支持部材７５とを備える。飲料パック２０は、アーム７３、７４によって横方向に保持され、支持部材７５によって下方から支持されている。なお、スタンド７０は、上記のような構造である必要はなく、例えば飲料パック２０を逆さまにして吊り下げるだけのものであっても構わない。
【００３２】
以下、飲料供給器具１００の組立と取付けについて説明する。まず、飲料パック２０にアダプタ本体１２を固定した後（図２参照）、アダプタ本体１２のジョイント部１２ｄにチューブ３０の一端を接続し、チューブ３０の他端にカテーテル６０を接続して、飲料供給器具１００の組立を完了する。次に、組み立てた飲料供給器具１００をスタンド７０に取り付ける。具体的には、飲料パック２０を上下逆にしてアーム７３、７４の上方に移動させ、アーム７３、７４の隙間にチューブ３０を通して後、飲料パック２０を降ろせば、飲料パック２０をアーム７３、７４と支持部材７５とによって所望の高さ位置に保持することができる。この状態で、クレンメ５０を調節してチューブ３０中の空気をパージし、カテーテル６０を患者ＰＴの鼻孔から挿入する。さらに、クレンメ５０を調節してカテーテル６０からの栄養飲料の吐出量を調節する。この際、飲料パック２０の底部の適当な箇所に穿孔したり適当な部分を切除することで、飲料パック２０の空気抜きが可能になるので、カテーテル６０から栄養飲料を円滑に吐出させることができる。なお、飲料パック２０が空になった場合、スタンド７０から飲料パック２０を取り外してチューブ３０を抜く。１つの飲料パック２０による摂取量では不足な場合、新たな飲料パック２０を準備し、上記と同様にアダプタ本体１２を固定する。そして、チューブ３０の一端を新たなアダプタ本体１２のジョイント部１２ｄ（図２参照）に再度接続する。以後は上記と同様に、クレンメ５０を調節してカテーテル６０からの栄養飲料の吐出量を調節する。
【００３３】
〔第２実施形態〕
以下、第２実施形態の飲料パック用アダプタについて説明する。本実施形態の飲料パック用アダプタは、第１実施形態の飲料パック用アダプタを変形したものであり、同一部分には同一の符号を付して共通部分の重複説明を省略する。
【００３４】
図４は、第２実施形態の飲料パック用アダプタの構造を説明する分解斜視図である。この場合、シール部１１２ｂの外周面に、リッジＳＲ（図２参照）の代わりに雄ネジＳＳを形成している。シール部１１２ｂを回転させながら貫通孔１４ａにねじ込むことにより、雄ネジＳＳが貫通孔１４ａの内壁に食い込んで、シール部１１２ｂが貫通孔１４ａに密着して固定される。この結果、シール部１２ｂの周囲から飲料パック２０中の栄養飲料が漏れ出すことを防止できるとともに、上下逆さまにした状態の飲料パック２０からアダプタ本体１２が脱落することを防止できる。なお、雄ネジＳＳのピッチや巻き数は、固定部材１４の厚みや弾性特性を考慮して適宜変更することができる。
【００３５】
〔第３実施形態〕
図５は、第３実施形態の飲料パック用アダプタの構造を説明する分解斜視図である。この飲料パック用アダプタ１１０は、先端部が飲料パック２０の開口２１に差し込まれるパイプ状のアダプタ本体１１２と、飲料パック２０に接着されてアダプタ本体１１２の先端部を受容する連結部材１１４とを備える。なお、アダプタ本体１１２の上端は、他端側でカテーテルに接続されるチューブ３０に接続される。
【００３６】
飲料パック用アダプタ１１０のうちアダプタ本体１１２は、飲料パック２０の開口２１に設けたフィルム２１ａに穿孔するための先鋭端部１１２ａと、この先鋭端部１１２ａの根本側の周囲に設けられて連結部材１１４の筒状部１１４ａに締結される環状部材１１２ｂと、先鋭端部１１２ａの反対側に設けられてチューブ３０に着脱自在に接続されるジョイント部１１２ｃとを備える。ここで、環状部材１１２ｂの外周壁の内面側には、筒状部１１４ａの側面に形成された雄ねじ１４ｓと螺合する締結用の雌ねじ（不図示）が形成されている。なお、アダプタ本体１１２は、ポリプロピレン、ポリエチレンなどのポリオレフィン、ポリカーボネート、ポリスチレンなどの半硬質材料から射出成形によって形成される。
【００３７】
飲料パック用アダプタ１１０のうち連結部材１１４は、飲料パック２０の開口２１と同一内径の円形の貫通孔１１４ｈを有する筒状の筒状部１１４ａと、筒状部１１４ａの下端から周囲方向に延びる接着用のフランジ部１１４ｂとを有する。ここで、筒状部１１４ａの貫通孔１１４ｈの内径は、先鋭端部１１２ａの外径よりもわずかに大きくなっており、貫通孔１１４ｈ中に先鋭端部１１２ａを挿入できるようになっている。筒状部１１４ａの側面、すなわち貫通孔１１４ｈの周囲には、３条のねじ山からなる雄ねじ１４ｓが形成されている。この雄ねじ１４ｓを構成する各ねじ山は、軸方向の長さに換算して約１ピッチに相当する長さを有しており、筒状部１１４ａの側面の３領域に別々に形成されている。なお、雄ネジ１４ｓのピッチや巻き数は、連結部材１１４のサイズ等を考慮して適宜変更することができる。フランジ部１１４ｂには、貫通孔１１４ｈの近傍を除いてフランジ部１１４ｂのほぼ裏面全体に粘着材層１１４ｃが形成されている。この粘着材層１１４ｃにより、貫通孔１１４ｈと開口２１とを位置合わせした状態で連結部材１１４を飲料パック２０に固定することができる。なお、連結部材１１４の材料も、ポリプロピレン、ポリエチレンなどのポリオレフィン、ポリカーボネート、ポリスチレンなどの半硬質材料から射出成形によって形成される。
【００３８】
以上の説明において、アダプタ本体１１２のうち先鋭端部１１２ａやジョイント部１１２ｃは、アダプタ本体部材を構成する。また、連結部材１１４すなわち筒状部１１４ａやフランジ部１１４ｂは、接着部材を構成する。さらに、アダプタ本体１１２の環状部材１１２ｂと連結部材１１４の筒状部１１４ａとは、ロック用の係止部材を構成する。
【００３９】
図６は、飲料パック用アダプタ１１０を飲料パック２０に固定した状態を説明する側方断面図である。
【００４０】
アダプタ本体１１２を飲料パック２０に液密に固定するための連結部材１１４は、粘着材層１１４ｃによって開口２１の周囲に密着して固定されている。この際、貫通孔１１４ｈと開口２１とは、互いに位置合わせされて上下に重ね合わせて配置される。
【００４１】
アダプタ本体１１２の先鋭端部１１２ａは、パイプを斜めにカットした形状を有し、鋭角のエッジを貫通孔１１４ｈ越しに開口２１に刺し込むことで、フィルム２１ａが突き破られる。先鋭端部１１２ａには、楕円の引込口ＩＯが形成されている。先鋭端部１１２ａの根本側、より具体的には環状部材１１２ｂと引込口ＩＯとの中間位置には、残液排出用の排出口ＤＨが形成されている。図７は、先鋭端部１１２ａの先端部の側面図であり、排出口ＤＨの形状や配置を示している。この排出口ＤＨにより、飲料パック２０中の栄養飲料をほぼ全部カテーテルに吐出させるができ、栄養飲料の残留を防止して無駄を回避することができる。
【００４２】
図６に戻って、環状部材１１２ｂは、先鋭端部１１２ａの根本から半径方向外側に延びる鍔部１１２ｂａと、この鍔部１１２ｂａの外縁から下方に延びるカラー１１２ｂｂとからなる。先鋭端部１１２ａと環状部材１１２ｂとの間の空間、すなわちカラー１１２ｂｂの内側には、連結部材１１４の筒状部１１４ａが嵌り込む。この際、筒状部１１４ａの外周に形成された第１係止部である雄ねじ１１４ｓとカラー１１２ｂｂの内面に形成された第２係止部である雌ねじ１１２ｓとが螺合して、アダプタ本体１１２が連結部材１１４に固定される。
【００４３】
鍔部１１２ｂａの付け根の下部には、環状のリブ１１２ｂｃが形成されている。このリブ１１２ｂｃは、筒状部１１４ａの先端内側に形成された環状の窪み１１４ａｃに嵌ってこれに密着する。これらのリブ１１２ｂｃ及び窪み１１４ａｃは、シール部を構成し、筒状部１１４ａの外側に栄養飲料が漏れだすことを防止する。筒状部１１４ａの根本内側にも、環状のリブ１１４ｅが形成されている。このリブ１１４ｅは、シール部として環状部材１１２ｂの外周に密着し、筒状部１１４ａの外側に栄養飲料が漏れだすことを防止する。
【００４４】
ジョイント部１１２ｃは、僅かに先細りとなっており、その外周面に、複数の環状のリッジＪＲが形成されている。これらのリッジＪＲにより、ジョイント部１１２ｃを図５のチューブ３０に接続する際に、接続部分で液漏れを防止できるとともに、アダプタ本体１１２からチューブ３０が脱落することを防止できる。なお、先鋭端部１１２ａに設けた引込口ＩＯや排出口ＤＨは、ジョイント部１１２ｃを貫通する流路１１２ｇに連通しており、この流路１１２ｇを介して飲料パック２０中の栄養飲料を外部に引き出せるようになっている。
【００４５】
以下、飲料パック用アダプタ１１０の取付け作業について説明する。まず、滅菌した連結部材１１４を用意し、裏面の保護シールを除去して粘着材層１１４ｃを露出させる。次に、貫通孔１１４ｈと開口２１とを位置合わせした状態で、連結部材１１４を飲料パック２０に張り付けて固定する。次に、滅菌したアダプタ本体１１２を準備し、これを連結部材１１４に固定する。具体的には、先鋭端部１１２ａを筒状部１１４ａに設けた貫通孔１１４ｈを介して開口２１に差し込んで環状部材１１２ｂを適当な力で時計方向に回転させる。これより、環状部材１１２ｂと筒状部１１４ａが螺合してアダプタ本体１１２が連結部材１１４にロックされ、先鋭端部１１２ａがフィルム２１ａを破って開口２１に挿入される。この際、シール部であるリブ１１２ｂｃ、窪み１１４ａｃ及びリブ１１４ｅによって周囲の液密が保たれる。また、係止部材である環状部材１１２ｂや筒状部１１４ａによって液密が確実になるとともにアダプタ本体１１２の脱落を確実に防止することができる。
【００４６】
図１及び図２に示す飲料パック用アダプタ１１０は、図３に示す飲料供給器具１００と同様の飲料供給器具に組み込まれる。つまり、チューブ３０の延長上には、点滴筒、クレンメ、ジョイント、カテーテル等が接続される。また、飲料パック２０は、図３のスタンド７０と同様のスタンドに固定される。
【００４７】
〔第４実施形態〕
以下、第４実施形態の飲料パック用アダプタについて説明する。本実施形態の飲料パック用アダプタは、第３実施形態に係る飲料パック用アダプタのアダプタ本体を変形したものである。
【００４８】
図８は、変形したアダプタ本体２１２の一部を説明する側面図である。この場合、アダプタ本体２１２の先鋭端部２１２ａに排出溝ＤＳを設けている。この排出溝ＤＳによっても、飲料パック２０中の栄養飲料をほぼ全部カテーテルに吐出させるができ、栄養飲料の残留を防止して無駄を回避することができる。
【００４９】
以上実施形態に即して本発明を説明したが、本発明は、上記実施形態に限定されるものではない。例えば上記実施形態では、飲料パック２０の開口２１に設けたフィルム２１ａにアダプタ本体１２、１１２の先鋭端部１２、１１２ａを突き刺しているが、飲料パック２０の開口２１がプルタブでシールされている場合、このプルタブを剥がして開口２１を開放した後、この周囲に固定部材１４や連結部材１１４を固定する。その後、第１及び第２実施形態の場合、アダプタ本体１１２の先鋭端部１２ａを貫通孔１４ｈと開口２１とに差し込めば足る。また、第３及び第４実施形態の場合、アダプタ本体１１２の先鋭端部１１２ａを貫通孔１１４ｈと開口２１とに差し込んで環状部材１１２ｂをねじ回すことによって連結部材１１４に固定すれば足る。
【００５０】
また、上記実施形態では、図３に示すように、飲料供給器具１００によって、経鼻的に栄養飲料を投与する場合について説明したが、経胃ろうルート若しくは経腸ろうルートで患者ＰＴに経管栄養を長期的に投与することもできる。すなわち、患者ＰＴの腹部の適所に胃ろうや腸ろうを形成し、これらの胃ろうや腸ろうにカテーテル６０を取り付ける。そして、飲料パック２０中の栄養飲料等を飲料パック用アダプタ１０、１１０、チューブ３０及びカテーテル６０を介して、患者ＰＴの胃や腸に適当な量及びタイミングで供給することができる。
【００５１】
また、上記第１及び第２実施形態では、貫通孔１４ａと開口２１を同一直径としているが、貫通孔１４ａを開口２１よりある程度小さくしておくことができる。この場合、貫通孔１４ａと開口２１の位置合わせの誤差がある程度許容されるようになる。逆に貫通孔１４ａを開口２１よりある程度大きくしておくこともできるが、この場合、先鋭端部１２ａの直径は、シール部１２ｂ、１２ｂの直径よりも小さくなり、開口２１の直径と同じかさらに小さくする必要がある。
【００５２】
さらに、上記実施形態では、狭義の飲料パックを用いた飲料の経鼻・経腸摂取について説明したが、本発明は、このような経鼻や経腸の摂取に限らず、広く静脈等の他の部位に輸液等を導入する経静脈栄養摂取に適用することができる。この場合、栄養剤等を収容した栄養パックを含む広義の飲料パックに対し上記実施形態で説明したようなアダプタを取り付けることで、患者等に栄養剤を適宜経管摂取させることができる。
【図面の簡単な説明】
【図１】  図１は、第１実施形態に係る飲料パック用アダプタの構造及び取付けを説明する斜視図である。
【図２】  図２は、図１の飲料パック用アダプタの構造及び固定状態を説明する側方断面図である。
【図３】  図３は、図１の飲料パック用アダプタを組み込んだ飲料供給器の構造及び使用方法を概念的に説明する図である。
【図４】  図４は、第２実施形態に係る飲料パック用アダプタを説明する側方断面図である。
【図５】  図５は、第３実施形態に係る飲料パック用アダプタの構造及び取付けを説明する斜視図である。
【図６】  図６は、図５の飲料パック用アダプタの構造及び固定状態を説明する側方断面図である。
【図７】  図７は、図６の飲料パック用アダプタの先鋭端部を説明する側面図である。
【図８】  図８は、第４実施形態に係る飲料パック用アダプタを説明する側面図である。
【図１】
0004171649.tif 000002
【図２】
0004171649.tif 000003
【図３】
0004171649.tif 000004
【図４】
0004171649.tif 000005
【図５】
0004171649.tif 000006
【図６】
0004171649.tif 000007
【図７】
0004171649.tif 000008
【図８】
0004171649.tif 000009